(57)【要約】【課題】画像形成装置において異物の清掃部材周囲への散乱を軽減する。【解決手段】シール５０（清掃部材）は、感光体１２の周方向に沿って延びた本体５２であって、感光体１２の表面露出領域に接する底５６と底５６の感光体１２の回転方向の上流側の端から感光体１２の外周側へ立ち上がり表面露出領域上の異物Ｍを捕捉する異物捕捉壁５８とを有する本体５２と、本体５２の感光体１２の回転方向における下流側の位置で、本体５２から感光体１２の軸方向中央側とは反対側へ延びた段差部５４であって、本体５２の異物捕捉壁５８よりも下に配置され感光体１２の内周側から外周側へ立ち上がり異物Ｍを留置する異物留置壁６０を有する段差部５４と、を含む。【選択図】図４
2020154186.tif 000002
【特許請求の範囲】
【請求項１】
円筒状または円柱状の基体、および前記基体の軸方向中央側の表面に設けられた感光層を有し、前記基体の軸方向端部の少なくとも一方に前記基体の表面露出領域が設けられた回転可能な感光体と、
前記表面露出領域を清掃する清掃部材と、を含み、
前記清掃部材は、
前記感光体の周方向に沿って延びた本体であって、前記表面露出領域に接する底と、前記底の前記感光体の回転方向の上流側の端から前記感光体の外周側へ立ち上がり前記表面露出領域上の異物を捕捉する異物捕捉壁とを有する本体と、
前記本体の前記感光体の回転方向における下流側の位置で、前記本体から前記感光体の軸方向中央側とは反対側へ延びた段差部であって、前記本体の前記異物捕捉壁よりも下に配置され、前記感光体の内周側から外周側へ立ち上がり異物を留置する異物留置壁を有する段差部と、を含む、
画像形成装置。
【請求項２】
請求項１に記載の画像形成装置おいて、
前記清掃部材の前記本体は、前記異物捕捉壁から前記異物留置壁に向かって斜め下へ延び前記異物捕捉壁から前記異物留置壁へ異物を誘導する異物誘導壁を含む、
画像形成装置。
【請求項３】
請求項１または２に記載の画像形成装置おいて、
前記清掃部材の前記異物捕捉壁は、前記異物留置壁に向かって斜め下へ傾斜している、
画像形成装置。
【請求項４】
請求項１から３のいずれか一項に記載の画像形成装置おいて、
前記清掃部材の前記異物留置壁は、前記異物捕捉壁に向かって斜め下へ傾斜している、
画像形成装置。
【請求項５】
請求項１から４のいずれか一項に記載の画像形成装置おいて、
前記異物捕捉壁の感光体外周側の端部は、感光体内周側の端部に比べて、前記感光体の回転方向の上流側に飛び出す、
画像形成装置。
【請求項６】
請求項１から５のいずれか一項に記載の画像形成装置おいて、
前記異物留置壁の感光体外周側の端部は、感光体内周側の端部に比べて、前記感光体の回転方向の上流側に飛び出す、
画像形成装置。
【請求項７】
請求項１から６のいずれか一項に記載の画像形成装置おいて、
前記感光体の軸方向において、前記清掃部材の前記本体の一部と、前記感光体の前記感光層の一部がオーバーラップしている、
画像形成装置。
【発明の詳細な説明】
【技術分野】
【０００１】
本発明は、画像形成装置に関する。
【背景技術】
【０００２】
電子写真方式を用いた複写機、プリンタ等の画像形成装置が知られている。この画像形成装置では、まず、回転する感光体の表面が一様に帯電され、この感光体を画像情報に基づいて制御された光で露光して感光体上に静電潜像を形成する。感光体表面の静電潜像は、現像装置の現像ロール等を用いてトナー像に現像される。このトナー像を感光体上から用紙に、直接または中間転写ベルト等を介して転写する。そして、トナー像が転写された用紙を定着部へ搬送し、定着部によりトナー像を用紙に定着させる。
【０００３】
感光体は、円筒状または円柱状の基体と、基体の軸方向中央側の表面に設けられた感光層とを有し、基体の軸方向端部の少なくとも一方に基体の表面露出領域（素管部とも言う）が設けられる。感光体の表面露出領域には、トラッキングロール（現像ロールと感光体の間隔を一定に保つためのロール）などが接するため、基体の表面が削れて異物（金属粉など）が発生することがある。そのため、従来、感光体の素管部（表面露出領域）に接触させて異物を捕捉する清掃部材を設ける構成が知られている（例えば特許文献１参照）。
【先行技術文献】
【特許文献】
【０００４】
【特許文献１】特開２０１６−１５６８９６号公報
【発明の概要】
【発明が解決しようとする課題】
【０００５】
例えば、感光体の表面露出領域に接する清掃部材は、感光体の周方向に沿って延びた清掃部材であって、表面露出領域に接する底と、底の感光体の回転方向の上流側の端から感光体の外周側へ立ち上がって感光体の表面露出領域に付着した異物を捕捉する異物捕捉壁とを有する。このような清掃部材では、異物捕捉壁に捕捉された異物が清掃部材から離れて周囲に散乱する可能性がある。
【０００６】
本発明の目的は、感光体の表面露出領域に付着した異物を捕捉する異物捕捉壁を有する清掃部材を備えた画像形成装置において、異物捕捉壁上の異物を排除できない場合に比べて、異物の清掃部材周囲への散乱を抑制または軽減することにある。
【課題を解決するための手段】
【０００７】
請求項１に係る発明は、円筒状または円柱状の基体、および前記基体の軸方向中央側の表面に設けられた感光層を有し、前記基体の軸方向端部の少なくとも一方に前記基体の表面露出領域が設けられた回転可能な感光体と、前記表面露出領域を清掃する清掃部材と、を含み、前記清掃部材は、前記感光体の周方向に沿って延びた本体であって、前記表面露出領域に接する底と、前記底の前記感光体の回転方向の上流側の端から前記感光体の外周側へ立ち上がり前記表面露出領域上の異物を捕捉する異物捕捉壁とを有する本体と、前記本体の前記感光体の回転方向における下流側の位置で、前記本体から前記感光体の軸方向中央側とは反対側へ延びた段差部であって、前記本体の前記異物捕捉壁よりも下に配置され、前記感光体の内周側から外周側へ立ち上がり異物を留置する異物留置壁を有する段差部と、を含む、画像形成装置である。
【０００８】
請求項２に係る発明は、請求項１に記載の画像形成装置おいて、前記清掃部材の前記本体は、前記異物捕捉壁から前記異物留置壁に向かって斜め下へ延び前記異物捕捉壁から前記異物留置壁へ異物を誘導する異物誘導壁を含む、ことを特徴とするものである。
【０００９】
請求項３に係る発明は、請求項１または２に記載の画像形成装置おいて、前記清掃部材の前記異物捕捉壁は、前記異物留置壁に向かって斜め下へ傾斜している、ことを特徴とするものである。
【００１０】
請求項４に係る発明は、請求項１から３のいずれか一項に記載の画像形成装置おいて、前記清掃部材の前記異物留置壁は、前記異物捕捉壁に向かって斜め下へ傾斜している、ことを特徴とするものである。
【００１１】
請求項５に係る発明は、請求項１から４のいずれか一項に記載の画像形成装置おいて、前記異物捕捉壁の感光体外周側の端部は、感光体内周側の端部に比べて、前記感光体の回転方向の上流側に飛び出す、ことを特徴とするものである。
【００１２】
請求項６に係る発明は、請求項１から５のいずれか一項に記載の画像形成装置おいて、前記異物留置壁の感光体外周側の端部は、感光体内周側の端部に比べて、前記感光体の回転方向の上流側に飛び出す、ことを特徴とするものである。
【００１３】
請求項７に係る発明は、請求項１から６のいずれか一項に記載の画像形成装置おいて、前記感光体の軸方向において、前記清掃部材の前記本体の一部と、前記感光体の前記感光層の一部がオーバーラップしている、ことを特徴とするものである。
【発明の効果】
【００１４】
請求項１に係る発明によれば、異物捕捉壁の感光体の軸方向中央側とは反対側から、異物捕捉壁上の異物を排除（異物留置壁へ落下）できない場合に比べて、捕捉した異物の清掃部材周囲への散乱を抑制または軽減することができる。
【００１５】
請求項２に係る発明によれば、異物が異物捕捉壁から異物留置壁へ誘導される。
【００１６】
請求項３に係る発明によれば、異物捕捉壁が平坦に形成させている場合に比べて、異物が異物捕捉壁から異物留置壁へ落ち易くなる。
【００１７】
請求項４に係る発明によれば、異物留置壁が平坦に形成させている場合に比べて、清掃部材の本体の感光体軸方向中央側とは反対側の側壁と、異物留置壁とがなす角部に異物が寄せ集まり易くなる。
【００１８】
請求項５に係る発明によれば、異物捕捉壁の感光体外周側の端部と、感光体内周側の端部とが感光体周方向の同じ位置にある場合に比べて、異物捕捉壁の感光体外周側の端部を越えて異物が飛散し難くなる。
【００１９】
請求項６に係る発明によれば、異物留置壁の感光体外周側の端部と、感光体内周側の端部とが感光体周方向の同じ位置にある場合に比べて、異物留置壁の感光体外周側の端部を越えて異物が飛散し難くなる。
【００２０】
請求項７に係る発明によれば、感光体の軸方向において、清掃部材の本体と感光体の感光層との間に隙間が生じることによる表面露出領域上の異物の清掃不良が防がれる。
【図面の簡単な説明】
【００２１】
【図１】画像形成装置の概略構成図である。
【図２】感光体の構成を示す模式図である。
【図３】感光体とその周辺部材の位置関係を説明するための図である。
【図４】感光体の表面露出領域に接するシールの斜視図である。
【図５】シールの一例を示す図である。
【図６】シールの別の一例を示す図である。
【図７】シールのさらに別の一例を示す図である。
【図８】シールのさらに別の一例を示す図である。
【図９】シールのさらに別の一例を示す図である。
【図１０】別の実施形態における、感光体とシールの位置関係を説明するための図である。
【発明を実施するための形態】
【００２２】
以下に、本発明に係る実施形態について添付図面を参照しながら詳細に説明する。以下で述べる構成は、説明のための例示であって、画像形成装置の仕様等に合わせて適宜変更が可能である。全ての図面において同様の要素には同一の符号を付し、重複する説明を省略する。また、以下において複数の実施形態や変形例などが含まれる場合、それらの特徴部分を適宜に組み合わせて用いることは当初から想定されている。
【００２３】
図１は、本実施形態における画像形成装置１０の概略構成図である。図１及び以降説明する各図には、感光体１２の軸方向、径方向、及び周方向が適宜示されている。画像形成装置１０は、電子写真方式により用紙Ｐに画像を形成する装置である。画像形成装置１０は、回転する感光体１２（感光体ドラムとも言う）と、感光体１２の表面を帯電する帯電ロール４０と、感光体１２表面に潜像を形成する露光装置１４と、感光体１２表面の静電潜像を現像してトナー像を得る現像ユニット１６と、感光体１２上のトナー像を中間転写ベルト２０に転写する一次転写ロール１８と、中間転写ベルト２０上のトナー像を用紙Ｐに転写する二次転写ロール２２と、感光体１２の軸方向端部にある表面露出領域に接するシール５０（清掃部材とも言う）と、感光体１２の感光層の残存トナー等を除去するトナー清掃装置２８と、を備える。
【００２４】
ここで、感光体１２、帯電ロール４０、シール５０、トナー清掃装置２８、及びそれらを支持するハウジング（不図示）を含んで感光体ユニット１１が構成されており、感光体ユニット１１は、画像形成装置１０に着脱可能に取り付けられている。シール５０は、感光体ユニット１１のハウジングに固定された支持体３６と感光体１２との隙間を封止する。
【００２５】
図２は、感光体１２の構成を示す模式図である。感光体１２は、円筒状または円柱状の基体８０と、基体８０の軸方向の両端部に嵌め込まれた筒状の端部材８６とを備える。図２及び後述する図３には、基体８０の軸方向の範囲が符号ＢＬで示されている。例えば、基体８０は金属製であり、端部材８６は樹脂製である。基体８０の軸方向中央側の表面には感光層８２が設けられており、感光層８２は、用紙Ｐに中間転写ベルト２０を介して転写される像を保持する。また、基体８０の軸方向両端部には、基体８０表面に感光層８２が設けられない領域である表面露出領域８４（素管領域または素管部とも言う）が設けられている。なお、本明細書において、表面露出領域８４とは、上記のように基体８０表面に感光層８２が設けられない領域であり、基体８０表面がそのまま露出している領域だけでなく、例えば、基体８０表面に加工が施されている、又は、膜などが形成されている領域も含まれる。なお、上記したように、基体８０表面の感光層８２は、用紙Ｐに転写される像を保持するが、感光層８２の基体８０軸方向の端に画像を保持しない領域（像非保持領域と言う）が設けられることがある。その場合には、表面露出領域８４は、感光層８２の像非保持領域を含んだ領域と定義されてもよい。
【００２６】
図１に戻り、帯電ロール４０は、導電性を有するゴムロール等で構成されると共に、感光体１２に接触して回転可能に配置されており、感光体１２の回転に従動して回転する。帯電ロール４０は、感光体１２に帯電電圧を印加し、感光体１２の感光層を帯電する。
【００２７】
露光装置１４は、帯電ロール４０によって帯電された感光体１２の感光層に、レーザ光を用いて選択的に光書き込みを行うことで静電潜像を形成する。なお、露光装置１４における光源としては、レーザ光源以外に、ＬＥＤ（Light Emitting Diode）光源などを用いることも可能である。
【００２８】
現像ユニット１６は、感光体１２に対向して回転可能に配置された現像ロール４６を備え、現像ユニット１６の内部には、予め決められた色（例えば黒色）のトナーを含む現像剤を収容している。現像ロール４６は、その表面に現像剤を保持して、感光体１２の感光層にトナーを供給することで、感光層上の静電潜像を現像する。
【００２９】
一次転写ロール１８は、導電性を有するゴムロール等で構成されて、中間転写ベルト２０を介して感光体１２に対向して回転可能に配置されて、中間転写ベルト２０の移動に従って回転する。一次転写ロール１８は、感光体１２との間で中間転写ベルト２０を挟んで、感光体１２と中間転写ベルト２０に一次転写電圧を印加し、感光体１２の感光層上のトナー像を中間転写ベルト２０に一次転写する。
【００３０】
二次転写ロール２２は、ゴムロール等で構成されて、回転可能に配置されており、対向ロール２４との間で中間転写ベルト２０及び用紙Ｐを挟んで、中間転写ベルト２０上のトナー像を用紙Ｐに二次転写する。なお、図示されていないが、画像形成装置１０は、用紙Ｐに二次転写されたトナー像を熱、圧力等により定着する定着装置を備える。
【００３１】
シール５０（清掃部材）は、例えばフェルトやスポンジ等であり、支持体３６によって支持されて感光体１２の表面露出領域に接している。なお、支持体３６は、感光体ユニット１１のハウジングに固定されている。なお、シール５０の詳細については後述する。
【００３２】
トナー清掃装置２８は、感光体１２の感光層表面に突き当たるように配置されたクリーニングブレード３２と、クリーニングブレード３２により感光体１２から除去されたトナーが入り込むトナー清掃容器３０と、トナー清掃容器３０内のトナーを廃トナー回収容器（不図示）に搬送する搬送オーガ３４とを含む。クリーニングブレード３２は、例えばウレタンゴム等のゴム材で構成されている。
【００３３】
上記画像形成装置１０の画像形成プロセスを簡単に説明すると、以下の通りである。まず、帯電ロール４０によって、回転する感光体１２の感光層表面が一様に帯電される。帯電された感光層表面はレーザ光学系等の露光装置１４により静電潜像が書き込まれる。感光層表面の静電潜像は、現像ユニット１６によりトナー像に現像される。そして、トナー像は中間転写ベルト２０に一次転写される。中間転写ベルト２０上のトナー像は、図示しない給紙トレイから搬送されてくる用紙Ｐに、二次転写ロール２２を用いて二次転写される。用紙Ｐ上の二次転写されたトナー像は、定着装置により定着させられ、その後、用紙Ｐは画像形成装置１０外に排出される。また、感光体１２は、一次転写した後、感光体１２の感光層表面の残留トナーがトナー清掃装置２８により除去され、次の画像形成プロセスに備える。
【００３４】
次に、シール５０について詳細に説明する。図３は、感光体１２を上から見た際の感光体１２とその周辺にある特定の部材を示す模式図である。図３に示すように、現像ロール４６の回転軸の両端部には、現像ロール４６と感光体１２との間隙を保持するための間隙保持部材としてトラッキングロール４７が設けられている。２つのトラッキングロール４７が感光体１２の表面露出領域８４に接することで、感光体１２と現像ロール４６との間隙が一定に保持される結果、安定した現像条件が維持されるようになっている。
【００３５】
現像ロール４６及びトラッキングロール４７の感光体１２を挟んだ反対側には、クリーニングブレード３２及び２つのシール５０が配置されている。クリーニングブレード３２は、感光体１２の軸方向の中央側に位置し、感光体１２の軸方向に延びて感光層８２に接している。２つのシール５０は、クリーニングブレード３２よりも上側に位置しており（図１参照）、感光体１２の軸方向の両端部にある２つの表面露出領域８４のそれぞれに接している。本実施形態では、２つのシール５０は左右対称の形状を有している。なお、２つのシール５０は、感光体ユニットの仕様等に合わせて形状を異ならせてもよい。
【００３６】
図３に示すように、トラッキングロール４７は感光体１２の表面露出領域８４に接するため、トラッキングロール４７により感光体１２の表面露出領域８４が擦られることで表面露出領域８４が削られ、削り粉（例えば金属（アルミ等）の削り粉）等の異物Ｍが表面露出領域８４に発生する。また、削り粉以外の異物Ｍが表面露出領域８４に付着する可能性もある。このような異物Ｍが感光体１２の表面露出領域８４の特にトラッキングロール４７が接する部位に堆積すると、感光体１２と現像ロール４６との間隙が変化するようになり、現像条件を変化させて画像形成に悪影響を与える。そこで、シール５０を設けて表面露出領域８４の異物Ｍを捕捉（清掃）することで、このような問題を回避または抑制する。
【００３７】
図４は、感光体１２の表面露出領域に接するシール５０の斜視図であり、図５は、感光体１２の径方向から見たシール５０を模式的に示す図である。図４に示すように、シール５０（清掃部材）は、感光体１２の周方向に沿って延びた略直方体の本体５２と、本体５２の感光体１２の回転方向における下流側の位置で本体５２から感光体１２の軸方向中央側とは反対側へ延びた略直方体の段差部５４とを含む。本体５２は、感光体１２の表面露出領域に接する底５６と、底５６の感光体１２の回転方向の上流側の端から感光体１２の外周側へ立ち上がり表面露出領域上の異物Ｍを捕捉する異物捕捉壁５８を有する。また、段差部５４は、本体５２の異物捕捉壁５８よりも下に配置され感光体１２の内周側から外周側へ立ち上がり異物Ｍを留置する異物留置壁６０を有する。
【００３８】
図３に示すように、シール５０の本体５２の底は、感光体１２の表面露出領域８４に接しており、シール５０の段差部５４の底は、感光体１２の端部材８６の表面に接している。図４に戻り、シール５０の本体５２と段差部５４の底は、感光体１２の周面に接することで湾曲形状となる。シール５０の感光体１２の軸方向中央側とは反対側には、感光体ユニットのハウジングの一部である構造物３８が配置されている。構造物３８の側面３９は、シール５０の段差部５４よりも高い位置から感光体１２の周方向に沿って延びて、段差部５４の側面に接している。
【００３９】
次に、上記構成を有するシール５０（清掃部材）が設けられた本実施形態の画像形成装置１０の作用効果について説明する。まず、異物捕捉壁５８は、感光体１２の回転により自身に向かってくる感光体１２の表面露出領域上の異物Ｍを捕捉する。そして、異物捕捉壁５８上に捕捉された異物Ｍは、やがて段差部５４に向かって落下して異物留置壁６０上に留まることになる。従って、異物捕捉壁５８から異物Ｍを排除（異物留置壁６０へ落下）できない場合に比べて、捕捉した異物Ｍのシール５０周囲への散乱が抑制または軽減される。
【００４０】
特に、上記構成を有するシール５０によれば、感光体１２の軸方向中央側への異物Ｍの落下（図４の破線矢印）が抑制または軽減される。感光体１２の軸方向中央側であってシール５０よりも下側には、クリーニングブレード３２が配置されている（図１、３参照）。シール５０から感光体１２の軸方向中央側にあるクリーニングブレード３２に向かって異物Ｍが落下した際には、異物Ｍが感光層表面とクリーニングブレード３２の間に入り込んで、クリーニングブレード３２が損傷する虞がある。クリーニングブレード３２が損傷すると、感光層上の残存トナーを十分に除去できなくなる。また、クリーニングブレード３２の損傷がない場合でも、異物Ｍの感光体の軸方向中央側への落下は、感光層表面の汚損などの問題を生じ得る。しかし、上記構成を有するシール５０によれば、感光体１２の軸方向中央側への落下が抑制または軽減されるので、上記した問題の発生を抑制することができる。
【００４１】
なお、本実施形態の画像形成装置１０は、感光体１２の軸方向の両端部にシール５０を設けたが、片方の端部のみにシール５０を設ける構成であってもよい。また、シール５０の本体５２の底５６は、全体が感光体１２の周面に接してもよいし、本体５２の底５６の感光体１２の回転方向の上流側端から下流側に向かった一部の領域のみが、感光体１２の周面に接してもよい。同様に、シール５０の段差部５４の底は、全体が感光体１２の周面に接してもよいし、段差部５４の底の感光体１２の回転方向の上流側端から下流側に向かった一部の領域のみが、感光体１２の周面に接してもよい。
【００４２】
次に、シール５０の変形例について説明する。図６は、感光体１２の径方向から見た別のシール５０を模式的に示す図である。図６に示すシール５０（清掃部材）は、本体５２が、異物捕捉壁５８から異物留置壁６０に向かって斜め下へ延び異物捕捉壁５８から異物留置壁６０へ異物Ｍを誘導する異物誘導壁６２を含んでいる。この構成によれば、異物Ｍが異物捕捉壁５８から異物留置壁６０へ誘導され易くなる。
【００４３】
図７は、さらに別のシール５０を模式的に示す図である。図７に示すシール５０は、異物捕捉壁５８が異物留置壁６０に向かって斜め下へ傾斜している。この構成によれば、異物捕捉壁５８が平坦に形成させている場合に比べて、異物Ｍが異物捕捉壁５８から異物留置壁６０へ落ち易くなり、異物Ｍの感光体１２の軸方向中央側への落下を効果的に抑制することができる。
【００４４】
図８は、さらに別のシール５０を模式的に示す図である。図８に示すシール５０は、異物留置壁６０が異物捕捉壁５８に向かって斜め下へ傾斜している。この構成によれば、異物留置壁６０が平坦に形成させている場合に比べて、本体５２の感光体１２の軸方向中央側とは反対側の側壁６４と異物留置壁６０とがなす角部に異物Ｍが寄せ集まり易くなるため、異物Ｍの散乱が効果的に抑制される。
【００４５】
図９は、さらに別のシール５０を模式的に示す図である。図９に示すシール５０は、異物捕捉壁５８の感光体外周側の端部が感光体内周側の端部に比べて感光体１２の回転方向の上流側に飛び出している。この構成によれば、異物捕捉壁５８の感光体外周側の端部と感光体内周側の端部とが感光体１２の周方向の同じ位置にある場合に比べて、異物捕捉壁５８の感光体外周側の端部を越えて異物Ｍが飛散し難くなる。なお、この構成を異物留置壁６０に適用することも可能である。すなわち、異物留置壁６０の感光体外周側の端部を感光体内周側の端部に比べて感光体１２の回転方向の上流側に飛び出すようにする。これにより、異物留置壁６０の感光体外周側の端部を越えて異物Ｍが飛散し難くなる。
【００４６】
また、以上説明した実施形態のシール５０は、図３に示すように、本体５２が感光層８２には接していなかった。しかし、図１０に示すように、感光体１２の軸方向において、シール５０の本体５２の一部と感光体１２の感光層８２の一部をオーバーラップするようにし、本体５２が感光層８２と接するようにしてもよい。図１０には、シール５０の本体５２と感光層８２がオーバーラップする範囲が符号ＯＬで示されている。この構成によれば、感光体１２の軸方向において、シール５０の本体５２と感光体１２の感光層８２との間に隙間が生じることを防ぐことができ、表面露出領域８４上の異物Ｍの清掃不良を防ぐことができる。
【００４７】
なお、異物Ｍが金属粉を含み、現像ロール４６が磁力を有する構造の場合、異物Ｍが現像ロール４６の磁力により現像ロール４６へ引き付けられやすく、現像ユニット１６へ取り込まれやすい。そのため、異物Ｍが金属粉を含み、現像ロール４６が磁力を有する構造の場合には、シール５０の異物Ｍの捕捉位置および留置位置は、現像ロール４６の感光体１２を挟んで反対側の位置が好ましい。
【００４８】
以上、様々な実施形態を説明したが、これらは適宜、組み合わせて実施することが可能である。組み合わせによる実施形態は、相乗的な作用を生じ、異物Ｍのシール５０周囲への散乱をより効果的に抑制する。
【符号の説明】
【００４９】
１０  画像形成装置、１１  感光体ユニット、１２  感光体、１４  露光装置、１６  現像ユニット、１８  一次転写ロール、２０  中間転写ベルト、２２  二次転写ロール、２４  対向ロール、２８  トナー清掃装置、３０  トナー清掃容器、３２  クリーニングブレード、３４  搬送オーガ、３６  支持体、３８  構造物（ハウジングの一部）、３９  側面、４０  帯電ロール、４６  現像ロール、４７  トラッキングロール、５０  シール（清掃部材）、５２  本体、５４  段差部、５６  底、５８  異物捕捉壁、６０  異物留置壁、６２  異物誘導壁、６４  側壁、８０  基体、８２  感光層、８４  表面露出領域、８６  端部材、Ｍ  異物、Ｐ  用紙。
【図１】
2020154186.tif 000003
【図２】
2020154186.tif 000004
【図３】
2020154186.tif 000005
【図４】
2020154186.tif 000006
【図５】
2020154186.tif 000007
【図６】
2020154186.tif 000008
【図７】
2020154186.tif 000009
【図８】
2020154186.tif 000010
【図９】
2020154186.tif 000011
【図１０】
2020154186.tif 000012